(57)【要約】      （修正有）【課題】ユーザが手を汚すことなく廃棄物を除去可能な廃棄物回収具を提供する。【解決手段】廃棄物回収具は把持部１０と着脱部２０とを具備する。把持部はユーザに把持される。着脱部は把持部に接続され、第１の枠状部２１及び第２の枠状部２２を有し、第１の枠状部と第２の枠状部との間に袋状ネットを挟んで固定することが可能であり、かつ、固定された袋状ネットを解放可能である。【選択図】図３
0003184146.tif 000002
【実用新案登録請求の範囲】
【請求項１】
ユーザに把持される把持部と、
前記把持部に接続され、第１の枠状部及び第２の枠状部を有し、前記第１の枠状部と前記第２の枠状部との間に袋状ネットを挟んで固定することが可能であり、かつ、前記固定された袋状ネットを解放可能な着脱部と
を具備する廃棄物回収具。
【請求項２】
請求項１に記載の廃棄物回収具であって、
前記第２の枠状部は、前記第１の枠状部との間に前記袋状ネットを挟む第１の位置と当該第１の枠状部から離間する第２の位置との間を移動可能である
廃棄物回収具。
【請求項３】
請求項２に記載の廃棄物回収具であって、
前記着脱部は、前記第１の枠状部と前記第２の枠状部とを前記把持部側で回動可能に接続する軸部を更に有する
廃棄物回収具。
【請求項４】
請求項３に記載の廃棄物回収具であって、
前記第１の枠状部は前記把持部と一体に構成され、
前記着脱部は、前記第２の枠状部と一体に構成され、かつ、前記軸部に対して前記第２の枠状部とは反対側に延び、前記回動のために前記ユーザに操作される操作部を更に有する
廃棄物回収具。
【請求項５】
請求項４に記載の廃棄物回収具であって、
前記第２の枠状部は、前記第１の位置にあるときに前記袋状ネットに係合し、前記第１の位置から前記第２の位置に移動すると前記袋状ネットから離間する係合部を有する
廃棄物回収具。
【請求項６】
請求項５に記載の廃棄物回収具であって、
前記係合部は、前記第２の枠状部が前記第１の位置にあるときに前記袋状ネットを挿通する凸部として構成される
廃棄物回収具。
【請求項７】
請求項６に記載の廃棄物回収具であって、
前記第１の枠状部は、前記第２の枠状部が前記第１の位置にあるときに前記凸部と噛み合う凹部を有する
廃棄物回収具。
【請求項８】
請求項２から７のいずれか１項に記載の廃棄物回収具であって、
前記着脱部は、前記第２の枠状部を前記第１の位置に固定可能な固定部を更に有する
廃棄物回収具。
【考案の詳細な説明】
【技術分野】
【０００１】
本考案は、廃棄物を回収可能な廃棄物回収具に関する。
【背景技術】
【０００２】
近年、油が廃水とともに流出することによる環境汚染が深刻化している。さらに、油が混入した廃水は、油脂分の固化などによって排出の際に排水管が詰まる原因となる。したがって、油が混入した廃水が排出される際には、廃水中の油が十分に除去されることが必要である。
【０００３】
水に混入した油を回収する技術が特許文献１，２に記載されている。これら技術では、油吸着材が用いられる。油吸着材は、水を吸収することなく油を吸着する材料であり、例えば、ポリプロピレン・メルトブローン繊維によって構成される。このような油吸着材は、その表面に油を選択的に吸着するため、水に浮いた油のみを効率的に吸着することができる。
【０００４】
したがって、ユーザは、廃水に混入した油を除去するために、廃水中に油吸着材を入れ、油を吸着した油吸着材を廃水中から回収すればよい。これにより、廃水は通常通りに排出可能となる。一方、油を吸着した油吸着材は、可燃性の廃棄物として処理可能である。
【先行技術文献】
【特許文献】
【０００５】
【特許文献１】特開２００９−１６５９１４号公報
【特許文献２】特開２０１０−１１５５８５号公報
【考案の概要】
【考案が解決しようとする課題】
【０００６】
特許文献１，２に記載された技術を用いた場合、油吸着材が廃水とともに排出されると、油吸着材が排水管に詰まることがある。そのため、油吸着材が用いられる場合には、廃水中から油吸着材が十分に回収されることが必要である。
【０００７】
この点に関し、特許文献１，２に記載された技術では、油吸着材が袋状ネットに充填された状態で用いられる。つまり、油吸着材は、袋状ネットごと廃水中に入れられ、袋状ネットごと回収される。これにより、油吸着材は、使用前後にわたって袋状ネットの中から出ないため、廃水中に残存することがない。
【０００８】
しかし、上記の袋状ネットを用いる技術では、油吸着材が一箇所に凝集せざるを得ない。したがって、ユーザは、廃水の液面における油が浮いている全領域に袋状ネットを移動させる必要がある。さらに、袋状ネット中の油吸着材のうち、直接廃水に接しない袋状ネットの奥にある油吸着材は、油の吸着に寄与しにくい。
【０００９】
したがって、油吸着材は、廃水の液面に浮いた油をより効率的に吸着可能なように、廃水の液面の全体にわたって散在させることが好ましい。この場合、油吸着材は、例えばタモ網のような道具によって回収される。
【００１０】
しかし、タモ網内に回収された油吸着材を当該タモ網から完全に除去するためにはユーザの手による作業が必要となるため、油吸着材に吸着された油によりユーザの手が汚れる。さらに、油吸着材を除去した後のタモ網を洗う際にも、タモ網に付着した油によりユーザの手が汚れることがある。
【００１１】
以上のような事情に鑑み、本考案の目的は、ユーザが手を汚すことなく廃棄物を除去可能な廃棄物回収具を提供することにある。
【課題を解決するための手段】
【００１２】
上記目的を達成するため、本考案の一形態に係る廃棄物回収具は把持部と着脱部とを具備する。
上記把持部はユーザに把持される。
上記着脱部は上記把持部に接続され、第１の枠状部及び第２の枠状部を有し、上記第１の枠状部と上記第２の枠状部との間に袋状ネットを挟んで固定することが可能であり、かつ、上記固定された袋状ネットを解放可能である。
【考案の効果】
【００１３】
ユーザが手を汚すことなく廃棄物を除去可能な廃棄物回収具を提供することができる。
【図面の簡単な説明】
【００１４】
【図１】本考案の第１の実施形態に係る廃棄物回収具の閉状態の斜視図である。
【図２】図１に示した廃棄物回収具の閉状態の六面図である。
【図３】図１に示した廃棄物回収具の開状態の斜視図である。
【図４】図１に示した廃棄物回収具の開状態の六面図である。
【図５】図１に示した廃棄物回収具の寸法を例示する図である。
【図６】図１に示した廃棄物回収具の寸法を例示する図である。
【図７】図１に示した第１の枠状部の寸法を例示する図である。
【図８】図１に示した第２の枠状部の寸法を例示する図である。
【図９Ａ】図１に示した廃棄物回収具に袋状ネットを装着する方法を示す図である。
【図９Ｂ】図１に示した廃棄物回収具に袋状ネットを装着する方法を示す図である。
【図９Ｃ】図１に示した廃棄物回収具に袋状ネットを装着する方法を示す図である。
【図９Ｄ】図１に示した廃棄物回収具に袋状ネットを装着する方法を示す図である。
【図１０】油が混入した水から油を除去する方法を示した模式図である。
【図１１】図１に示した廃棄物回収具の機能を示した模式図である。
【図１２Ａ】図１に示した廃棄物回収具の機能を示す図である。
【図１２Ｂ】図１に示した廃棄物回収具の機能を示す図である。
【図１２Ｃ】図１に示した廃棄物回収具の機能を示す図である。
【図１３】本考案の第２の実施形態に係る廃棄物回収具の閉状態の斜視図である。
【図１４】図１３に示した廃棄物回収具の開状態の斜視図である。
【考案を実施するための形態】
【００１５】
本考案の一実施形態に係る廃棄物回収具は把持部と着脱部とを具備する。
上記把持部はユーザに把持される。
上記着脱部は、着脱部は上記把持部に接続され、第１の枠状部及び第２の枠状部を有し、上記第１の枠状部と上記第２の枠状部との間に袋状ネットを挟んで固定することが可能であり、かつ、上記固定された袋状ネットを解放可能である。
この構成により、この廃棄物回収具は、使い捨ての袋状ネットを用いて廃棄物を回収し、回収した廃棄物を上記袋状ネットごと廃棄することができるようになる。したがって、この廃棄物回収具ではメンテナンスに手間がかからない。
【００１６】
上記第２の枠状部は、上記第１の枠状部との間に上記袋状ネットを挟む第１の位置と当該第１の枠状部から離間する第２の位置との間を移動可能であってもよい。
この構成により、上記第２の枠状部は、上記第１の位置で上記袋状ネットを固定し、上記第２の位置で上記袋状ネットを解放する。したがって、この廃棄物回収具では、ユーザが、上記袋状ネットの固定動作、及び上記袋状ネットの解放動作を、第２の枠状部を移動させることにより容易に行なうことができる。
【００１７】
上記着脱部は、上記第１の枠状部と上記第２の枠状部とを上記把持部側で回動可能に接続する軸部を更に有してもよい。
この構成により、上記第２の枠状部は、上記第１の枠状部に対する回動により、上記第１の位置と上記第２の位置との間を移動することができるようになる。したがって、この廃棄物回収具では、ユーザが、上記袋状ネットの固定動作、及び上記袋状ネットの解放動作を、上記第２の枠状部を上記第１の枠状部に対して回動させることにより容易に行なうことができる。
【００１８】
上記第１の枠状部は上記把持部と一体に構成されていてもよい。
また、上記着脱部は、上記第２の枠状部と一体に構成され、かつ、上記軸部に対して上記第２の枠状部とは反対側に延び、上記回動のために上記ユーザに操作される操作部を更に有してもよい。
この構成により、上記第２の枠状部は、上記操作部と一体として回動するようになる。したがって、この廃棄物回収具では、ユーザが、上記袋状ネットの固定動作、及び上記袋状ネットの解放動作を、上記操作部を上記把持部に対して回動させることにより容易に行なうことができる。
【００１９】
上記第２の枠状部は、上記第１の位置にあるときに上記袋状ネットに係合し、上記第１の位置から上記第２の位置に移動すると上記袋状ネットから離間する係合部を有してもよい。
この構成により、上記係合部は、上記第２の枠状部が上記第１の位置にあるときに上記袋状ネットの網目に係合して上記袋状ネットを拘束し、上記第２の枠状部が上記第１の位置から上記第２の位置に移動すると上記袋状ネットを解放するようになる。したがって、この廃棄物回収具は、上記袋状ネットの固定、及び上記袋状ネットの解放をより確実に行なうことができる。
【００２０】
上記係合部は、上記第２の枠状部が上記第１の位置にあるときに上記袋状ネットを挿通する凸部として構成されてもよい。
この構成により、上記係合部を容易に実現することができる。
【００２１】
上記第１の枠状部は、上記第２の枠状部が上記第１の位置にあるときに上記凸部と噛み合う凹部を有してもよい。
この構成により、上記凹部と上記凸部とが噛み合うことによって、上記第１の枠状部と上記第２の枠状部との間に上記袋状ネットをより安定して固定することができるようになる。
【００２２】
上記着脱部は、上記第２の枠状部を上記第１の位置に固定可能な固定部を更に有してもよい。
この構成により、上記第２の枠状部が上記第１の位置に固定される。したがって、この廃棄物回収具では、上記第２の枠状部がユーザの意図に反して上記第１の位置から移動することにより、上記袋状ネットが解放されることが防止される。
【００２３】
以下、図面を参照しながら、本考案の実施形態を説明する。なお、図面には、適宜相互に直交するＸ軸、Ｙ軸、およびＺ軸が示されている。Ｘ軸、Ｙ軸、およびＺ軸は全図において共通である。
【００２４】
＜第１の実施形態＞
図１〜４は、本考案の第１の実施形態に係る廃棄物回収具１を示す図である。図１及び図３は斜視図であり、図２及び図４は六面図（左側面図は右側面図と対称であるため省略している。）である。なお、図２（ａ）〜図２（ｅ）及び図４（ａ）〜図４（ｅ）はそれぞれ上面図、正面図、右側面図、背面図、底面図である。廃棄物回収具１は、図１及び図２に示す開状態と、図３及び図４に示す閉状態との間で動作可能である。
【００２５】
［全体構成］
まず、図１及び図２を参照して、廃棄物回収具１の全体構成について説明する。
【００２６】
廃棄物回収具１は、ユーザの手によって把持される把持部１０と、把持部１０の端部に設けられた着脱部２０とを具備する。把持部１０は、Ｘ軸方向に延び、ＸＹ平面に対してＺ軸方向上方に所定角度だけ傾いているアルミニウム製のパイプとして構成される。把持部１０は、着脱部２０とは反対側の端部を塞ぐ閉塞部材１１を有する。閉塞部材１１は、例えば樹脂材料により形成され、パイプに嵌合するように構成されている。
【００２７】
把持部１０は、ユーザが把持することができる構成であればよく、アルミニウム製のパイプに限定されない。把持部１０として使用可能な材料としては、例えば、アルミニウム以外に材料で形成されたパイプや各種材料で形成された棒材が挙げられる。ユーザが把持部１０をより握りやすくするために、把持部１０の外面が樹脂材料などによって被覆されていてもよい。なお、閉塞部材１１は、適宜設けられればよく、廃棄物回収具１の必須の構成ではない。
【００２８】
着脱部２０は、同様の形状を有する２つの枠状部２１，２２を有する。枠状部２１，２２は、ともにＸＹ平面に沿って設けられている。枠状部２１，２２はＺ軸方向に重なっており、第１の枠状部２１の上面と第２の枠状部２２の底面とが対面している。枠状部２１，２２は、その中央領域に、Ｚ軸方向に開口した開口部２３を形成している。
【００２９】
各枠状部２１，２２は、アルミニウム製の棒材が屈曲されることにより矩形状に形成されている。具体的には、各枠状部２１，２２は、Ｘ軸に平行な２辺及びＹ軸に平行な２辺をそれぞれ構成する４つの直線部により矩形状をなしている。
【００３０】
着脱部２０は、第１の枠状部２１から延び、第１の枠状部２１と把持部１０とを接続する接続部２４を有する。接続部２４は、第１の枠状部２１と一体に構成されている。接続部２４は、第１の枠状部２１から把持部１０内に延び、把持部１０に固定されている。したがって、第１の枠状部２１は、接続部２４を介して把持部１０と一体に構成されている。
【００３１】
具体的には、第１の枠状部２１及び接続部２４は一本のアルミニウム製の棒材が屈曲されることにより形成されている。つまり、接続部２４は、第１の枠状部２１を形成する棒材が更に屈曲されることにより形成されている。
【００３２】
より詳しくは、第１の枠状部２１を形成するアルミニウム製の棒材が、把持部１０側の直線部において、Ｙ軸方向の両端からそれぞれ中央部付近まで延び、矩形を閉じることなく、把持部１０に向けて屈曲させられて接続部２４を形成している。したがって、接続部２４は、２本の棒材がＹ軸方向に隙間をあけて第１の枠状部２１から把持部１０内まで延びる構成を有する。
【００３３】
なお、本実施形態では、第１の枠状部２１及び接続部２４は、同一のアルミニウム製の棒材で形成されているが、この構成に限定されない。第１の枠状部２１及び接続部２４は一体に構成されていればよく、例えば、第１の枠状部２１と接続部２４とが、各別に形成された後に接合されてもよい。
【００３４】
また、着脱部２０は、第２の枠状部２２から把持部１０に向けて延びる操作部２５を有する。操作部２５はアルミニウム製の棒材により形成されている。操作部２５は、第２の枠状部２２における把持部１０側の直線部のＹ軸方向中央部に、アルミニウム溶接により接合されている。操作部２５は、第２の枠状部２２から接続部２４の隙間に入り込み、接続部２４に沿って把持部１０に近接する位置まで延びている。接続部２４は、把持部１０には直接固定されていない。
【００３５】
なお、本実施形態では、第２の枠状部２２及び操作部２５は、アルミニウム溶接により接合されているが、この構成に限定されない。第２の枠状部２２及び操作部２５は一体に構成されていればよく、例えば、第２の枠状部２２と操作部２５とが、接着剤などを用いて接合されてもよい。さらに、第２の枠状部２２及び操作部２５が同一の棒材を屈曲させることにより形成されてもよい。
【００３６】
また、本実施形態では、接続部２４が２本の棒材で構成され、操作部２５が１本の棒材で構成されるが、この構成は適宜変更可能である。例えば、接続部２４が１本の棒材で構成され、操作部２５が２本の棒材で構成されていてもよい。さらに、接続部２４及び操作部２５の双方ともに１本の棒材で構成されていてもよい。
【００３７】
着脱部２０は、操作部２５の接続部２４に対する回動を可能にする軸部２６を有する。軸部２６は、接続部２４と操作部２５とを枠状部２１，２２に近接する位置において接続する軸状部材として構成される。軸部２６は、接続部２４及び操作部２５に対してＹ軸方向に挿通されている。これにより、第２の枠状部２２及び操作部２５は、第１の枠状部２１及び接続部２４に対して軸部２６を中心に回動可能となる。
【００３８】
なお、操作部２５が接続部２４に対して回動可能であれば、軸部２６の構成は限定されない。例えば、軸部２６は、接続部２４にそれぞれ形成された操作部２５側に突出する突起部と、操作部２５に形成された当該突起部を収容する軸受部とにより構成されていてもよい。この場合、操作部２５は、接続部２４の突起部を軸受部に収容した状態を保ちつつ、接続部２４に対して回動することができる。
【００３９】
着脱部２０は、上記の第２の枠状部２２及び操作部２５の回動を規制するための固定部２７を有する。固定部２７は、軸部２６よりも把持部１０側に設けられ、操作部２５の上面に軸支された棒状部材として構成される。固定部２７は、操作部２５の上面に沿って回動可能であり、操作部２５に対して垂直な方向（Ｙ軸方向）を向き、接続部２４の上面に係合している。これにより、操作部２５が接続部２４に固定され、廃棄物回収具１が閉状態に保たれる。さらに、接続部２４の上面には突起部２８が形成されている。突起部２８は、固定部２７を、操作部２５に対して垂直な方向を向いた状態に位置決めする役割を有する。
【００４０】
なお、廃棄物回収具１を閉状態に保持可能であれば、固定部２７の構成は限定されない。例えば、固定部２７は、接続部２４に設けられていてもよい。さらに、廃棄物回収具１の閉状態において、接続部２４と操作部２５とがＹ軸方向に嵌合する構成により固定部２７の機能を実現してもよい。
【００４１】
以上述べた着脱部２０の各部材は、主としてアルミニウムにより形成されているが、他の材料により形成されていてもよい。そのような材料としては、耐水性に優れ、かつ耐油性に優れる材料が選択され、例えば、アルミニウム以外の金属材料や樹脂材料やセラミック材料が挙げられる。
【００４２】
図１及び図２に示す状態では、第２の枠状部２２及び操作部２５は、固定部２７及び第１の枠状部２１によって（特に図２（ｃ）参照）、軸部２６を中心とする時計回り及び反時計回り回動が規制されている。そのため、第２の枠状部２２が第１の枠状部２１に対面する第１の位置に固定され、廃棄物回収具１が閉状態に保たれる。
【００４３】
固定部２７は、図２（ａ）における反時計回りに回動させられると、突起部２８から離れ、やがて操作部２５に平行な方向を向く。固定部２７は、この状態になると、接続部２４の上面に対する係合が解除され、操作部２５とともに接続部２４の隙間を通って下方に移動可能となる。つまり、第２の枠状部２２及び操作部２５が、軸部２６を中心として、図２（ｃ）における時計回りに回動可能となる。
【００４４】
廃棄物回収具１は、図１及び図２に示す閉状態から、操作部２５が把持部１０に対して軸部２６を中心にＺ軸方向下方に回動させられると、図３及び図４に示す開状態になる。廃棄物回収具１の開状態では、第２の枠状部２２が第１の枠状部２１から離間した第２の位置にあり、図１及び図２に示す開口部２３が、第１の枠状部２１の開口部２３ａと第２の枠状部２２の開口部２３ｂとに分かれる。
【００４５】
接続部２４の底面には、ストッパ２９が設けられている。ストッパ２９は、接続部２４の軸部２６より第１の枠状部２１寄りの位置に、接続部２４を構成する２本の棒材に懸架される部材である。ストッパ２９は、図３及び図４に示す開状態において、操作部２５に当接され、操作部２５及び第２の枠状部２２の更なる回動を規制するように構成されている。これにより、廃棄物回収具１は、操作部２５及び第２の枠状部２２の軸部２６を中心とする図４（ｃ）における反時計回りの回動が規制されることにより、図３及び図４に示す開状態に保たれる。
【００４６】
ユーザは、図１及び図２に示す閉状態の廃棄物回収具１の操作部２５を、把持部１０に対して軸部２６を中心として図２（ｃ）における時計回りに回動させる操作を行なうことにより、廃棄物回収具１を図３及び図４に示す開状態とすることができる。反対に、ユーザは、図３及び図４に示す開状態の廃棄物回収具１の操作部２５を、把持部１０に対して軸部２６を中心として図４（ｃ）における反時計回りに回動させる操作を行なうことにより、廃棄物回収具１を図１及び図２に示す閉状態とすることができる。このように、廃棄物回収具１では、ユーザが、図１及び図２に示す開状態と、図３及び図４に示す閉状態とを容易に切り替えることが可能である。
【００４７】
廃棄物回収具１の使用時には、着脱部２０に袋状ネットが装着される。具体的には、第１の枠状部２１と第２の枠状部２２との間に袋状ネットの周縁部を挟むことにより、廃棄物回収具１に袋状ネットが装着される。廃棄物回収具１は、枠状部２１，２２が袋状ネットの周縁部の全周にわたって保持すると、開口部２３の全体が袋状ネットによって覆われる。これにより、廃棄物回収具１は、タモ網と同様の形状となり、タモ網と同様に用いることができるようになる。つまり、廃棄物回収具１の把持部１０を把持したユーザが、廃棄物等を、開口部２３を介して袋状ネット内にすくい取ることができる。
【００４８】
図３及び図４に示すように、第２の枠状部２２には、第１の枠状部２１の上面に対向する面に凸部２２ａが設けられている。凸部２２ａは、第２の枠状部２２の中心を通るＺＸ平面について面対称となるように９か所に配置されている。具体的には、凸部２２ａは、第２の枠状部２２の４隅と、第２の枠状部２２における４つの直線部の中央部とにそれぞれ配置されている。なお、第２の枠状部２２における操作部２５に隣接する直線部には、操作部２５の付け根を挟む２つの位置に凸部２２ａが配置されている。
【００４９】
第２の枠状部２２の凸部２２ａは、袋状ネットが装着されたときに、袋状ネットと係合する係合部として構成される。具体的には、枠状部２１，２２が袋状ネットを挟んでいる場合に、凸部２２ａは、袋状ネットの網目に入り込み、袋状ネットに対してＸＹ平面に平行な方向に係合し、袋状ネットを拘束する。これにより、袋状ネット内に廃棄物等が回収されて、袋状ネットに加わる重力負荷が大きくなり、袋状ネットの周縁部が枠状部２１，２２の内向きに引っ張られる場合にも、袋状ネットの周縁部が枠状部２１，２２から外れない。
【００５０】
なお、本実施形態では、凸部２２ａの形状は円柱形状である。しかし、凸部２２ａの形状は突出していれば円柱形状でなくてもよい。凸部２２ａの形状としては、例えば、先端に向けて細くなる円錐形状、いわゆる切頭円錐状、多角形柱状、多角形錐状が挙げられる。さらに、凸部２２ａの形状は、例えば、先端に向けて段階的に細くなる形状などの複雑な形状であってもよい。
【００５１】
さらに、本実施形態では、凸部２２ａの数は９個であるが、その数は限定されない。凸部２２ａの数を９個より多くすることによって、袋状ネットを枠状部２１，２２により強固に固定可能となる。また、凸部２２ａの数を９個より少なくすることによって、第２の枠状部２２の形状が簡素化するため、廃棄物回収具１の製造コストを低減可能である。なお、袋状ネットを枠状部２１，２２に確実に固定する観点から、凸部２２ａは複数であることが好ましく、凸部２２ａの配置には対称性があることが好ましい。
【００５２】
さらに、第１の枠状部２１には、第２の枠状部２２の凸部２２ａに対応して、凹部２１ａが設けられている。凹部２１ａは、廃棄物回収具１が閉状態であり、第２の枠状部２２が第１の位置にある場合に凸部２２ａと噛み合う。したがって、凹部２１ａも凸部２２ａに対応して９か所に配置されている。この構成により、凸部２２ａが袋状ネットの網目を挿通して凹部２１ａに入り込むため、袋状ネットが凸部２２ａから外れることが防止される。なお、凹部２１ａの形状は、凸部２２ａの形状に応じて変更可能であることは勿論である。
【００５３】
［寸法］
図５及び図６は本実施形態に係る廃棄物回収具１の寸法の一例を示した図である。
【００５４】
図５に示した廃棄物回収具１の全長Ｌ１００は１２２５ｍｍである。把持部１０の直径Ｌ１１は２２ｍｍであり、把持部１０の長さＬ１２は１０００ｍｍである。また、枠状部２１，２２は正方形状であり、Ｘ軸方向の長さＬ２１及びＹ軸方向の長さＬ２２はともに１５０ｍｍである。枠状部２１を構成する棒材のＸ軸方向及びＹ軸方向の幅Ｌ２３は４ｍｍである。枠状部２１，２２の４隅の曲げ加工に伴う曲率半径Ｒはいずれも１８ｍｍである。枠状部２１，２２のＺ軸方向の厚さＬ２４はともに６ｍｍである。
【００５５】
図６に示した廃棄物回収具１の把持部１０の長さＬ１２は５００ｍｍであり、これに伴い廃棄物回収具１の全長Ｌ１００は７２５ｍｍである。その他の寸法は、図５に示した廃棄物回収具１と同様である。このように、廃棄物回収具１の把持部１０の長さは用途などに応じて自由に変更可能である。更に、廃棄物回収具１の把持部１０は、その長さをユーザの都合に応じて調整可能な構成を有していてもよい。
【００５６】
図７及び図８は廃棄物回収具１の着脱部２０における各部の寸法の一例を示した図である。図７に示すように、第１の枠状部２１の各凹部２１ａは、径Ｌ２５が３ｍｍであり、深さが５ｍｍの丸穴形状である。また、図８に示すように、第２の枠状部２２の凸部２２ａは、径Ｌ２６が１．６ｍｍであり、高さが４ｍｍの円柱形状である。また、枠状部２１，２２の把持部１０側の端部と軸部２６とのＸ軸方向の距離Ｌ２７は２５ｍｍである。
【００５７】
［廃棄物回収具１の使用方法］
（袋状ネットＮの装着方法）
図９Ａ〜図９Ｄは廃棄物回収具１への袋状ネットＮの装着方法を示した図である。ここで、袋状ネットＮの開放された端部を開放端Ｅｏと呼び、袋状ネットＮの閉じられた端部を閉塞端Ｅｃと呼ぶこととする。
【００５８】
袋状ネットＮとしては、適当なサイズの可燃性の汎用品が用いられる。袋状ネットＮとしては、例えば、台所の排水口用の水切りネットを用いることができる。なお、袋状ネットＮは廃棄物回収具１に合わせて作製された専用品であってもよいことは勿論である。
【００５９】
まず、図９Ａに示すように、廃棄物回収具１を開状態にし、第２の枠状部２２の開口部２３ｂに、袋状ネットＮを閉塞端Ｅｃ側から挿入する。そして、図９Ｂに示すように、袋状ネットＮの開放端Ｅｏ側の周縁部を外側に折り返して、袋状ネットＮが第２の枠状部２２を内側から外側に向けて覆うようにする。
【００６０】
次に、図９Ｃに示すように、図９Ｂに示した状態から、廃棄物回収具１を閉状態にする。このとき、枠状部２１，２２の間に袋状ネットＮの周縁部を挟むとともに、第２の枠状部２２の各凸部２２ａが第１の枠状部２１の各凹部２１ａに噛み合う。これにより、袋状ネットＮが枠状部２１，２２に固定される。
【００６１】
そして、図９Ｄに示すように、袋状ネットＮを反転させる。つまり、袋状ネットＮの閉塞端Ｅｃを、開口部２３をくぐらせることにより、第２の枠状部２２側から第１の枠状部２１側に移動させる。以上により、廃棄物回収具１への袋状ネットＮの装着が完了する。
【００６２】
（廃水Ｗ内の油Ｏの除去方法）
図１０は油Ｏが混入した廃水Ｗから油Ｏを除去する方法を示した模式図である。図１０では、廃水Ｗを収容する容器Ｃと、油吸着材Ａを容器Ｃに入れるために用いるシャベルＳを破線で示している。なお、容器Ｃ及びシャベルＳに代えて、これらを代替する任意の構成が使用可能である。
【００６３】
まず、図１０（ａ）に示すように、シャベルＳによって保持する油吸着材Ａを容器Ｃ内に投入する。油吸着材Ａとしては、例えば、高い親油性及び高い疎水性を有する可燃性材料により直径約数センチ程度に形成された固形物が用いられる。油吸着材Ａを形成する材料としては、例えば、天然繊維にワックスを含ませた材料や、ポリプロピレン・メルトブローン繊維が用いられる。油吸着材Ａの固形物の寸法は適宜変更可能である。
【００６４】
次に、図１０（ｂ）に示すように、油吸着材Ａを廃水Ｗの水面に散在させる。油吸着材Ａは、廃水Ｗの水面において隣接する油Ｏを順次吸着する。このとき、ユーザが廃棄物回収具１の枠状部２１，２２などを用いて油吸着材Ａを廃水Ｗとともにかき混ぜると、油吸着材Ａが、廃水Ｗの水面に分散しやすくなるとともに、油Ｏを迅速に吸着可能となる。
【００６５】
そして、図１０（ｃ）に示すように、ユーザが廃棄物回収具１を用いて油吸着体Ａを回収する。これにより、廃棄物回収具１に装着された袋状ネットＮ内に油吸着体Ａが収容される。その際、図１１に示すように、一般的に廃水を収容する容器Ｃの形状は矩形であるが、廃棄物回収具１の枠状部２１，２２が矩形であるため、ユーザは廃棄物回収具１を用いて容器Ｃの隅にある油吸着材Ａも容易にすくい取ることができる。
【００６６】
なお、枠状部２１，２２の形状は、矩形に限らず、適宜変更可能である。枠状部２１，２２の形状としては、例えば、円形状や、楕円形状や、矩形以外の多角形状が挙げられる。その他、枠状部２１，２２の形状は、排水を収容する容器の形状に応じた形状とすることも可能である。
【００６７】
また、廃棄物回収具１に装着される袋状ネットＮは、回収対象の廃棄物の大きさに合わせて網目の大きさが選択されることが好ましい。つまり、袋状ネットＮは、その網目の大きさが廃棄物の大きさより小さければ、当該廃棄物を回収可能となる。本例においては、回収対象である油吸着材Ａの径が数センチであるので、網目の大きさが１センチ未満の袋状ネットＮを用いることが好ましい。なお、袋状ネットＮの網目は、水が容易に透過する範囲において小さくてよい。
【００６８】
（廃棄物回収具１による油吸着材Ａの処理方法）
図１２Ａ〜図１２Ｃは廃棄物回収具１における油吸着材Ａを回収後の処理を示した図である。
【００６９】
図１２Ａは廃棄物回収具１に装着された袋状ネットＮ内に油Ｏを吸着した油吸着材Ａが回収された状態を示している。この状態では、袋状ネットＮは回収した油吸着材Ａの分の重力負荷が枠状部２１，２２に加わり、袋状ネットＮの周縁部が枠状部２１，２２の内側に引っ張られる。しかし、上述したように、枠状部２１，２２において袋状ネットＮが凸部２２ａ（図３等参照）によって拘束されているため、袋状ネットＮに高い重力負荷がかかった場合にも、袋状ネットＮの周縁部は枠状部２１，２２間に保持される。
【００７０】
次に、図１２Ｂに示すように、ユーザによる固定部２７及び操作部２５の操作により、第２の枠状部２２が第２の位置に移動させられて廃棄物回収具１が開状態となる。このとき、枠状部２１，２２における凸部２２ａの袋状ネットＮに対する係合が解除され、袋状ネットＮはその直下に落下する。
【００７１】
ここで、本実施形態とは凸部と凹部が反対に設けられている場合、つまり第１の枠状部に凸部が設けられ、第２の枠状部に凹部が設けられている場合を想定する。この場合、廃棄物回収具を開状態としても、第１の枠状部の凸部の袋状ネットＮに対する係合は解除されない。したがって、ユーザは、袋状ネットＮを凸部から取り外す作業を行なう必要がある。そのため、ユーザにとって手間がかかり、また油で汚れたネットＮに触れるためユーザの手が油で汚れる。
【００７２】
一方、本実施形態に係る廃棄物回収具１では、ユーザは、固定部２７及び操作部２５の操作のみにより、凸部２２ａの袋状ネットＮへの係合を解除することができる。したがって、廃棄物回収具１では、ユーザの手が袋状ネットＮに触れることなく、容易に袋状ネットＮを解放することが可能である。
【００７３】
なお、廃棄物回収具１における袋状ネットＮに係合する係合部は、凸部２２ａに限らず、開状態にすることで袋状ネットＮが解放される構成であればよい。例えば、廃棄物回収具１の係合部は、第２の枠状部２２の全周にわたって隆起したレール部と、第１の枠状部２１に形成された当該レール部と噛み合う溝部とにより構成されていてもよい。この場合、枠状部２１，２２の間に袋状ネットＮが挟まれているとき、レール部が袋状ネットＮの周縁部を溝部内に押し込むように作用する。つまり、レール部及び溝部が袋状ネットＮと係合する。一方、廃棄物回収具１が開状態となると、レール部が溝部から離れ袋状ネットＮが解放される。
【００７４】
そして、図１２Ｃに示すように、ユーザは、第１の枠状部２１をゴミ箱Ｄの直上に配置させて廃棄物回収具１を開状態とすることによって、油吸着材Ａを収容した袋状ネットＮが自動的にゴミ箱Ｄ内に落下させることができる。これにより、油吸着材Ａは袋状ネットＮごと通常の可燃物と同様に処理可能となる。
【００７５】
なお、本実施形態に係る廃棄物回収具１では、第１の枠状部２１がユーザに把持される把持部１０と一体に構成されているため、袋状ネットＮを解放する前後にわたって、袋状ネットＮを保持する第１の枠状部２１の位置が変わらない。そのため、ユーザは、第１の枠状部２１の位置とゴミ箱Ｄの位置とを合わせることにより、容易に袋状ネットＮをゴミ箱Ｄ内に的確に落下させることができる。
【００７６】
＜第２の実施形態＞
図１３及び図１４は、本考案の第２の実施形態に係る廃棄物回収具１０１を示す図である。図１３は斜視図であり、図１４は六面図（左側面図は右側面図と対称であるため省略している。）である。廃棄物回収具１０１は、図１３に示す開状態と、図１４に示す閉状態との間で動作可能である。なお、本実施形態に係る廃棄物回収具１０１の以下に説明する構成以外は、第１の実施形態に係る廃棄物回収具１と同様であり、その説明を適宜省略する。
【００７７】
廃棄物回収具１０１では、第１の枠状部１２１が、把持部１１０と一体に構成されている。より詳細には、第１の枠状部１２１は及び把持部１１０は、一本のアルミニウム製の棒材が屈曲されることにより形成されている。把持部１１０は、第１の実施形態に係る接続部２４を構成する２本の棒材を、ユーザが把持可能な寸法まで長くした構成を有する。
【００７８】
第２の枠状部１２２及び操作部１２５もアルミニウム製の棒材により形成され、アルミニウム溶接により接合されている。第２の枠状部１２２に接合された操作部１２５は、第１の実施形態に係る操作部２５よりも長く、図１３に示す閉状態では、把持部１１０に沿って延び、把持部１１０を構成する２本の棒材の間に収容される構成を有する。
【００７９】
把持部１１０と操作部１２５とは軸部１２６により回動可能に接続されている。したがって、ユーザは、図１３に示す閉状態の廃棄物回収具１０１の操作部１２５を、把持部１１０に対して軸部１２６を中心として回動させる操作を行なうことにより、廃棄物回収具１０１を図１４に示す開状態とすることができる。反対に、ユーザは、図１４に示す開状態の廃棄物回収具１０１の操作部１２５を、把持部１１０に対して軸部１２６を回動させる操作を行なうことにより、廃棄物回収具１０１を図１３に示す閉状態とすることができる。
【００８０】
また、本実施形態に係る廃棄物回収具１０１には、第２の枠状部１２２には第１の実施形態に係る凸部２２ａに対応する凸部１２２ａが設けられ、第１の枠状部１２１には第１の実施形態に係る凹部２１ａに対応する凹部１２１ａが設けられている。
【００８１】
本実施形態に係る廃棄物回収具１０１では、図１３に示す閉状態においてユーザが把持部１１０とともに操作部１２５も把持する。したがって、廃棄物回収具１０１では、第１の実施形態に係る固定部２７を設けなくても、ユーザが把持部１１０を把持していれば閉状態が保たれる。
【００８２】
以上述べたように、本実施形態に係る廃棄物回収具１０１は、第１の実施形態に係る廃棄物回収具１と同様の機能を発揮すること可能な構成を有する。
【００８３】
以上、本発明の実施形態について説明したが、本発明は上述の実施形態にのみ限定されるものではなく、本発明の要旨を逸脱しない範囲内において種々変更を加え得ることは勿論である。
【００８４】
例えば、廃棄物回収具に装着可能なネットは、袋状のものに限定されない。袋状でないネットは、袋状となるように変形させた状態で廃棄物回収具に装着される。ネットを袋状に変形させる方法としては、例えば、ネットを折り畳む方法や紐でネットを縛る方法が挙げられる。
【００８５】
更に、廃棄物回収具により回収可能な回収対象は、油吸着材に限らず、あらゆる廃棄物であってよい。そのような廃棄物としては、例えば、一般的にタモ網などで回収される浮遊物が挙げられる。また、本廃棄物回収具は、ユーザの手を汚すことなく容易に廃棄物を回収可能であるため、ユーザが触れることに嫌悪感を覚える廃棄物の回収に特に適している。
【符号の説明】
【００８６】
１…廃棄物回収具
１０…把持部
２０…着脱部
２１…第１の枠状部
２２…第２の枠状部
２３…開口部
２４…接続部
２５…操作部
２６…軸部
【図１】
0003184146.tif 000003
【図２】
0003184146.tif 000004
【図３】
0003184146.tif 000005
【図４】
0003184146.tif 000006
【図５】
0003184146.tif 000007
【図６】
0003184146.tif 000008
【図７】
0003184146.tif 000009
【図８】
0003184146.tif 000010
【図９Ａ】
0003184146.tif 000011
【図９Ｂ】
0003184146.tif 000012
【図９Ｃ】
0003184146.tif 000013
【図９Ｄ】
0003184146.tif 000014
【図１０】
0003184146.tif 000015
【図１３】
0003184146.tif 000016
【図１４】
0003184146.tif 000017
【図１１】
0003184146.tif 000018
【図１２Ａ】
0003184146.tif 000019
【図１２Ｂ】
0003184146.tif 000020
【図１２Ｃ】
0003184146.tif 000021